(57)【要約】      （修正有）【課題】効率的に放電生成物を送り出すことができる放電装置を提供する。【解決手段】放電装置５であって、気流を通過させる吸入口５２と吹出口５３とを設ける筐体５１と、放電を生じる放電電極６１と、前記筐体に設け、前記気流を通過させる開口部２２又は切欠部を有する対向電極７１と、を備え，放電電極及び前記対向電極は、外部から流入する空気の流れの方向が、前記放電電極から前記開口部に沿った方向に沿うように配置されている。【選択図】図４
2020170597.tif 000002
【特許請求の範囲】
【請求項１】
放電を生じさせる放電電極と、
前記放電電極に対向して設けられた対向電極と、を有し、
前記対向電極には、前記放電電極と対向する位置に開口部又は切欠部が設けられている
ことを特徴とする放電装置。
【請求項２】
前記放電電極及び前記対向電極は、外部から流入する空気の流れの方向が、前記放電電極から前記開口部に沿った方向に沿うように配置されている
ことを特徴とする請求項1に記載の放電装置。
【請求項３】
第１の吸込口と第１の吹出口を設けた第１の筐体と、
放電を生じさせる第１の放電電極と、
前記第１の放電電極に対向して設けられた第１の対向電極と、を有し、
前記第１の対向電極には、前記第１の放電電極と対向する位置に開口部又は切欠部が設けられている第１の放電装置と、
空気を前記第１の吸込口から前記第１の吹出口に誘導するファンと、を備え、
前記第１の放電装置では、前記ファンで誘導される前記空気が、前記第１の放電電極から前記第１の対向電極の前記開口部又は切欠部の順序で通過するように前記第１の放電電極および前記第１の対向電極を前記第１の筐体に配置していることを特徴とする空気調和機。
【請求項４】
放電を生じさせる第１の放電電極と、前記第１の放電電極に対向して設けられた第１の対向電極と、前記第１の放電電極及び前記第１の対向電極を格納するとともに、第１の吸込口と第１の吹出口を有する第１の筐体とを有し、前記第１の対向電極には、前記第１の放電電極と対向する位置に開口部又は切欠部が設けられている第１の放電装置と、
空気の流れを発生させるファンと、
前記第１の吹出口から排出された前記空気が通過するフィルタと、を有する
ことを特徴とする空気調和機。
【請求項５】
前記空気調和機は、さらに、
放電を生じさせる第２の放電電極と、前記第２の放電電極に対向して設けられた第２の対向電極と、前記第２の放電電極及び前記第２の対向電極を格納するとともに、第２の吸込口と第２の吹出口を有する第２の筐体とを有し、前記第２の対向電極には、前記第１の放電電極と対向する位置に開口部又は切欠部が設けられている第２の放電装置と、を有し、
前記フィルタを、さらに、前記第２の吹出口から排出された空気が通過する
ことを特徴とする請求項４記載の空気調和機。
【請求項６】
前記フィルタは、前記第１の放電装置及び前記第２の放電装置の間に配置される
ことを特徴とする請求項５記載の空気調和機。
【請求項７】
前記開口部は、前記対向電極に複数設けられている
ことを特徴とする請求項３乃至６のいずれかに記載の空気調和機。
【発明の詳細な説明】
【技術分野】
【０００１】
本発明は、放電装置および放電装置を備えた空気調和機に関する。
【背景技術】
【０００２】
例えば、特許文献１には、放電電極と対向電極とを開口部が形成された筐体に設け、放電電極と接地電極との間で放電を行う放電ユニットが開示されている。このような放電ユニットは、例えば空気調和機に搭載されており、空気調和機では、放電ユニットにおいて放電で発生する例えば、電子、イオン、ラジカル、オゾン等の放電生成物を含む空気のイオン風を放電ユニットの本体部の底面部に開口した孔から自然放出し、空気調和機内を経由して機外に放出することにより室内空間を衛生的に保つことが行われている。
【先行技術文献】
【特許文献】
【０００３】
【特許文献１】特開２０１１−２２９９３０号公報（２０１１年１１月１７日公開）
【発明の概要】
【発明が解決しようとする課題】
【０００４】
しかしながら、上記のような空気調和機では、空気調和機内部の流れと、放電によって生じるイオン風の流れが一致しておらず、効果的な放電生成物の放出を妨げる場合がある。
【０００５】
そこで、本発明の一態様は、上記点に鑑みて、より効果的な放電生成物の放出を行うことができる放電装置および放電装置を備えた空気調和機を実現する。
【課題を解決するための手段】
【０００６】
（１）本発明の一態様に係る放電装置は、放電を生じさせる放電電極と、前記放電電極に対向して設けられた対向電極と、を有し、前記対向電極には、前記放電電極と対向する位置に開口部又は切欠部が設けられていることを特徴とする。
【０００７】
（２）本発明の一態様に係る放電装置は、前記放電電極及び前記対向電極は、外部から流入する空気の流れの方向が、前記放電電極から前記開口部に沿った方向に沿うように配置されていることを特徴とする。
【０００８】
（３）本発明の一態様に係る空気調和機は、第１の吸込口と第１の吹出口を設けた第１の筐体と、放電を生じさせる第１の放電電極と、前記第１の放電電極に対向して設けられた第１の対向電極と、を有し、前記第１の対向電極には、前記第１の放電電極と対向する位置に開口部又は切欠部が設けられている第１の放電装置と、空気を前記第１の吸込口から前記第１の吹出口に誘導するファンと、を備え、前記第１の放電装置では、前記ファンで誘導される前記空気が、前記第１の放電電極から前記第１の対向電極の前記開口部又は切欠部の順序で通過するように前記第１の放電電極および前記第１の対向電極を前記第１の筐体に配置している、ことを特徴とする。
【０００９】
（４）本発明の一態様に係る空気調和機は、放電を生じさせる第１の放電電極と、前記第１の放電電極に対向して設けられた第１の対向電極と、前記第１の放電電極及び前記第１の対向電極を格納するとともに、第１の吸込口と第１の吹出口を有する第１の筐体とを有し、前記第１の対向電極には、前記第１の放電電極と対向する位置に開口部又は切欠部が設けられている第１の放電装置と、空気の流れを発生させるファンと、前記第１の吹出口から排出された前記空気が通過するフィルタと、を有することを特徴とする。
【００１０】
（５）本発明の一態様に係る空気調和機は、さらに、放電を生じさせる第２の放電電極と、前記第２の放電電極に対向して設けられた第２の対向電極と、前記第２の放電電極及び前記第２の対向電極を格納するとともに、第２の吸込口と第２の吹出口を有する第２の筐体とを有し、前記第２の対向電極には、前記第１の放電電極と対向する位置に開口部又は切欠部が設けられている第２の放電装置と、を有し、前記フィルタを、さらに、前記第２の吹出口から排出された空気が通過することを特徴とする。
【００１１】
（６）本発明の一態様に係る空気調和機は、前記フィルタは、前記第１の放電装置及び前記第２の放電装置の間に配置されることを特徴とする。
【００１２】
（７）本発明の一態様に係る空気調和機は、前記開口部は、前記対向電極に複数設けられていることを特徴とする。
【図面の簡単な説明】
【００１３】
【図１】本実施形態に係る放電装置を搭載した空気調和機を示す斜視図である。
【図２】本実施形態に係る放電装置を搭載した空気調和機を示す分解斜視図である。
【図３】空気調和機の放電装置とフィルタとファンとファン収納部を模式的に示す正面図である。
【図４】空気調和機内の空気の流れを示す断面図である。
【図５】放電装置を示す正面図である。
【図６】放電装置を示す背面図である。
【図７】図５示す放電装置をＶＩＩ線で切断した断面図である。
【図８】図５示す放電装置をＶＩＩＩ線で切断した断面図である。
【図９】対向電極を示す背面図である。
【図１０】図９示す対向電極をＸ線で切断した断面図である。
【図１１】対向電極の変形例１を示す背面図である。
【図１２】図１１示す対向電極をＸＩＩ線で切断した断面図である。
【図１３】対向電極の変形例２を示す背面図である。
【図１４】図１３示す対向電極をＸＩＶ線で切断した断面図である。
【図１５】放電装置の変形例１を示す正面図である。
【図１６】放電装置の変形例２を示す正面図である。
【図１７】空気調和機のカバーを取り外したケーシング本体を模式的に示す正面図である。
【図１８】図１７に搭載する第１の放電装置の断面図と第２の放電装置を示す断面図である。
【図１９】フィルタの両側に位置する第１および第２の放電装置との配置関係を模式的に示す断面図である。
【図２０】本実施形態に係る放電装置を搭載した空気調和機を示す側断面である。
【図２１】本実施形態に係る放電装置を搭載した空気調和機を示す断面図である。
【図２２】（ａ）放電装置を示す平面図である。（ｂ）放電装置を示す正面図である。（ｃ）放電装置を示す底面図である。（ｄ）放電装置を示す側面図である。
【図２３】放電装置内の放電電極と対向電極を示す斜視図である。
【図２４】放電装置内の放電電極と対向電極を示す平面図である。
【図２５】エア流路に設けた放電装置を通過するファンからの風の流れを示す側面図である。
【図２６】放電装置内の放電電極と他の対向電極を示す斜視図である。
【図２７】放電装置内の放電電極と他の対向電極を示す平面図である。
【発明を実施するための形態】
【００１４】
［実施形態１］
本開示の実施形態１は、図１〜図４を用いて説明する。図１は、本実施形態に係る放電装置を搭載した空気調和機を示す斜視図である。図２は、本実施形態に係る放電装置を搭載した空気調和機を示す分解斜視図である。空気調和機は、放電装置を搭載し、室内の空気を清浄化する機能を含むものであり、以下の説明において、先に空気調和機の各機能について詳述する。
【００１５】
図１及び図２に示すように、空気調和機１は、ケーシング本体２と、フィルタ３と、ファン４と、放電装置５と、制御部６と、を有している。
【００１６】
ケーシング本体２は、例えば、略箱型形状に形成しており、同ケーシング本体２の前部２ａには、室内の空気を吸込む前面パネル吸込口１１を形成した前面パネル１０を設けている。
【００１７】
また、同ケーシング本体上部２ｂの後方側には、開閉自在のフラップ１２が設けられており、同フラップ１２を開くことで、本体内で清浄化した空気を吹き出すファン吹出口１３が開口される。
【００１８】
同ケーシング本体２の上部２ｂ前方側には、電源のオン・オフや各種運転モード等を操作する操作部１４を設けており、さらに、操作部１４を操作して切替えた電源のオン・オフ状態や各種運転モードの選択状態を示す表示部１５を設けている。これら操作部１４や表示部１５は、制御部６と共に制御基板１６に設けている。
【００１９】
図２及び図４に示すように、ケーシング本体２の前部２ａには、その上方中央部分に後述する放電装置５を収納する収納部２０が形成される。
【００２０】
収納部２０内の背板２１には、後述するファン４で発生した空気の気流を分流して導くための背板開口部２２が形成され、さらに、後述する放電装置５の放電電極６１および対向電極７１に印加する電圧を供給するために用いる接続部（図示しない）が設けられる。背板開口部２２は、後述する放電装置５の筐体５１の吸込口５２に連通している。
【００２１】
収納部２０において、前方から後方の背板２１までの奥行は、放電装置５の奥行より短く、収納部２０に放電装置５を収納した場合に、放電装置５の前部の一部が収納部２０前面の開口部より突出するものである。
【００２２】
図２に示すように、ケーシング本体前部２ａには、外部の空気を吸込むためのファン吸込口２４が開口されており、ファン吸込口２４の縁部にはフィルタ３を設けている。ファン４が回転駆動することにより気流が発生すると、外部の空気がフィルタ３を通過してファン吸込口２４からケーシング本体２のファン収納部４０（例えば、図３参照）に吸込まれる。フィルタ３は、各種の空気清浄機能を有する機能性フィルタを順次重ね合わせて構成している。なお、外部の空気とは、後述する放電装置の筐体外の空気であり、ケーシング本体前部においては前面パネル吸込口１１から吸込む室内の空気を含むものであり、さらにケーシング本体内の後述するファン収納部、エア流路、分岐エア流路の空気も含むものである。
【００２３】
フィルタ３は、空気中の埃等を捕集する防塵フィルタに相当するメッシュ状のプレフィルタ３０と、集塵フィルタ３１と、脱臭フィルタ３２等で構成している。
【００２４】
集塵フィルタ３１は、空気中の微細な塵埃を捕集する機能を有し、例えばＨＥＰＡ（High Efficiency Particulate Air）フィルタ等で構成される。ＨＥＰＡフィルタは、ポリエステルおよびビニロン系不織布等からなる骨材に電石加工したメルトブロー不織布を合わせて濾材とし、これを折り畳み、その上下面にハイドロキシアパタイト加工した不織布からなる抗菌シートを重ねて熱圧着し、ホットメルト付き不織布からなる枠を溶着した構造を有する。集塵フィルタ３１はＨＥＰＡフィルタに限定されるものではなく、例えば撥水・撥油性の高い素材を使用したフィルタでもよい。
【００２５】
脱臭フィルタ３２は、例えば空気中の臭い成分であるアセトアルデヒドやアンモニアや酢酸等を吸着する機能を有する。脱臭フィルタ３２は、長方形をなす枠体にポリエステル製の不織布を取り付け、その上に活性炭を均一に分散配置し、その上からポリエステル製の不織布を被せた構造を有する。なお、フィルタは、３層構造としたが、例えばプレフィルタと集塵フィルタを一体とし、脱臭フィルタを備える２層構造であってもよく、或いは適宜各種のフィルタを組み合わせた構造であってもよい。
【００２６】
フィルタ３では、ファン４の回転駆動により、前面パネル吸込口１１から吸込んだ外部の空気を清浄にして、この清浄な外部の空気がファン吸込口２４からケーシング本体後部２ｃに設けるファン収納部４０内に吸込まれて、ファン収納部４０から同ケーシング本体上部２ｂのファン吹出口１３までの間に形成するエア流路４１を通過し、ファン吹出口１３からケーシング本体２の外部へ吹出される。
【００２７】
ファン４は、ケーシング本体２内のファン収納部４０に収納しており、ファン４は、空気の流れを発生するために、例えばシロッコファン等の多翼ファンと同多翼ファンを回転駆動するファン用モータとで構成している。多翼ファンは、シロッコファンの他に、プロペラファンやクロスフローファン等を採用してもよい。
【００２８】
図３および図４に示すように、ケーシング本体２内には、ファン４のファン収納部４０からファン吹出口１３までの間に空気を送気するエア流路４１が形成されている。エア流路４１には、ファン４で発生した空気の気流を分流する分岐エア流路４２が接続されており、分岐エア流路４２の先端は、収納部２０内の背板２１に開口した背板開口部２２に接続される。
【００２９】
分岐エア流路４２では、後述するファン４で誘導する空気を分流して、分流した空気が、収納部２０の背板開口部２２を介して、放電装置５の筐体５１の吸込口５２から流入し、筐体５１内を通過して、筐体５１の吹出口５３から吹出される。
【００３０】
ケーシング本体２上部２ｂの操作部１４を操作して各種運転モードを選択することによりファン４が駆動されると、前面パネル吸込口１１から吸込まれた空気がフィルタ３、ケーシング本体２のファン吸込口２４、ファン収納部４０からファン吹出口１３に形成されるエア流路４１を経て、ケーシング本体２の上部後方の吹出口１３から外部に吹出される。
【００３１】
また、上述した通り、エア流路４１を通気する空気の一部は、分岐エア流路４２を通気して、放電装置５内に送気されている。
【００３２】
次に、空気調和機に搭載する放電装置について、図５〜図１６を参照しながら詳説する。
【００３３】
図５乃至図８に示すように、放電装置５は、略細長箱形状の筐体５１と、筐体５１内に格納する放電を生じさせる放電電極６１と、放電電極６１に対向して設けられた対向電極７１と、を有している。なお、放電装置５は、外部に設ける制御部により放電を制御されている。
【００３４】
図８に示すように、筐体５１には、分岐エア流路４２から送気される外部の空気を導くための吸込口５２と、筐体５１内を通気した内部の空気を放出する吹出口５３が形成される。吸込口５２は、筐体５１の背側壁部５１ａに開口されており、吹出口５３は、底側壁部５１ｂに開口されている。
【００３５】
図７および図８に示す放電電極６１は、例えば略板形状の放電電極本体６２の下部を筐体５１内の支持部５４に支持される。放電電極本体６２には、所定間隔ごとに放電端子６３が複数設けられる。各放電端子６３は、例えば略Ｔ字形状に形成しており、放電電極本体６２の表面に立設する略板状の凸部６３ａと、凸部６３ａ先端の両側部に配設する略針形状の端子６３ｂ，６３ｂで構成している。
【００３６】
対向電極７１は、例えば略Ｌ形状の対向電極本体７２の長手方向の両端部を筐体５１内に設けた左右支持体５５，５６に配設している。図９および図１０に示すように、対向電極７１の対向電極本体７２には、放電電極６１と対向する位置に開口部７３が設けられる。開口部７３は、例えば略細長形状に形成されている。なお、対向電極７１には、開口部７３を形成したが、空気が通過できる構造であれば、対向電極本体７２の一部を切り欠いた切欠部であってもよい。
【００３７】
対向電極本体７２と複数の略Ｔ字状の放電端子６３を設けた放電電極本体６２とは、互いに対向するように、所定間隔を設けて支持部５４に支持されて、筐体５１内に収納される。また、放電装置５では、ファン４で誘導される外部の空気が、放電電極６１から対向電極７１の開口部７３の順序で通過するように放電電極６１および対向電極７１を筐体５１内に配置している。かかる構成によれば、放電により略放電方向に発生した放電生成物を含む空気のイオン風の流れを筐体５１の吸込口５２から流入する外部の空気の流れと一致して効率的な放電性物を含む空気を送気し、対向電極の開口部７３に向かって放電生成物を含む空気を送気して、内部の空気を吹出口５２から外部へ送気することができる。
【００３８】
図４および図８に示すように、放電電極６１及び対向電極７１は、ファン４により誘導され外部から筐体５１に流入する空気の流れの方向が、放電電極６１から開口部７３に沿った方向に沿うように配置されている。かかる構成によれば、放電により略放電方向に発生した放電生成物を含む空気のイオン風の流れを筐体５１の吸込口５２から流入する空気の流れと一致して効率的な放電性物を含む空気を送気し、しかも滞留されることなく、開口部７３に向かって放電生成物を含む空気を送気することができる。
【００３９】
また、対向電極７１の開口部７３は、筐体５１の底側壁部５１ｂに開口した吹出口５３に向かう方向に開口している。かかる構成によれば、放電により発生した放電生成物をともなう気流の大部分が開口部７３を通気して直線上に位置する吹出口５３から気流を乱されることなく吹き出され、効果的に放電生成物を含む空気を送気することができる。なお、図中の符号６４は、放電電極６１の端部に設けた端子部であり、符号７４は、対向電極７１の端部に設けた端子部である。
【００４０】
図４に示すように、放電装置５がケーシング本体２の収納部２０に収納された形態において、放電装置５の筐体５１の一部が収納部２０の開口から突出し、放電電極５の底側壁部５１ｂに設けた吹出口５３が下方を向いて、フィルタ３側に向かって開口している。
【００４１】
放電装置５では、放電電極６１と対向電極７１の間の電位差により、放電電極６１の各放電端子６３から対向電極７１に向かって放電が発生し、放電により空気中において例えば、電子、イオン、ラジカル、オゾン等の放電生成物を生成する。
【００４２】
空気調和機１では、ファン４から送気される空気が分岐エア流路４２を経由して吸込口５２から放電装置５の筐体５１内に流入し、流入した空気が放電電極６１で生じた放電生成物を含む空気のイオン風の流れと一致して効果的に放電生成物を放出することができる。さらに、吹出された放電生成物を含む空気は、気流にのって吹出口５３の下方に位置するフィルタ３の上手側に送られ、フィルタ３の積層間を通過し、ケーシング本体２のファン吸込口２４からファン４やファン収納部４０、エア流路４１を経由して上部のファン吹出口１３から外部へスムーズに吹出され、室内空間に放電生成物を含む空気を効率よく供給することができて、十分な脱臭や有害物質抑制効果を期待することができる。また、エア流路４１を通過する放電生成物を含む空気の一部は、分岐エア流路４２を経て放電装置５内に送気されるので、フィルタを通った空気を送気するため放電電極の汚れを低減して、長期にわたり空気調和機の良好な性能を維持することができる。
【００４３】
なお、放電装置５は、外部に設ける制御部により放電を制御されている。
【００４４】
上述した対向電極７１では、図９及び図１０に示すように開口部７３を対向電極本体７２に１つ形成したが、さらに、図１１及び図１２に示すように対向電極７１−１の対向電極本体７２−１の長手方向に略四角形状の開口部７３−１を複数形成するようにしてもよい。例えば、放電電極６１の放電端子６３ごとに、対向電極本体７２−１の開口部７３−１をそれぞれ形成してもよい。かかる構成とすることで、各放電端子６３に対応する各開口部７３−１では、各放電端子６３の放電により略放電方向に発生した放電生成物を含む空気のイオン風の流れとともに筐体５１の吸込口５２から流入した空気の気流の流れと一致して、一致した気流を開口部ごとに分流して通過させ、筐体５１の吹出口５３から吹き出して、吹出口５３の下方に位置するフィルタ３へ送気することができる。これにより、効果的に放電生成物の放出を行うことができる。
【００４５】
さらに、図１３及び図１４に示すように、対向電極７１−２の対向電極本体７２−２には、略格子状に複数の開口部７３−２を形成するようにしてもよい。かかる構成とすることで、例えば、放電電極６１のＴ字状の放電端子６３を上下２段に設け、上下方向それぞれの放電端子６３に対応するように上下方向に開口部７３−２をそれぞれ構成することで、略格子状の複数の開口部７３−２には、各放電端子６３の放電により生じた放電生成物を含む空気とともに筐体５１の吸込口５２から流入した気流を開口部７３−２の数だけ分流して通過させて、気流を合流することで、筐体５１の吹出口５３から吹き出して、吹出口５３の下方に位置するフィルタ３へ送気することができる。
【００４６】
なお、対向電極本体に開口する開口部の形状は、例えば、略四角形状としたが、筐体の吸込口から流入し、吹出口から外部へ吹出す空気を通気できれば、丸や楕円等のその他の形状としてもよい。また、対向電極には、開口部を形成したが、空気が通過できる構造であれば、対向電極本体の一部を切り欠いた切欠部を設けた構造であってもよい。
【００４７】
図７に示す放電電極６１では、略Ｔ形状の放電端子６３を放電電極本体６２に複数設けるようにしたが、図１５に示す放電電極６１−１は、放電電極本体６２−１の表面に立設する略板状の凸部６３ａ−１の両側部に、例えば略針形状の端子６３ｂ−１を上下２段に分けて複数配設する構成としてもよい。
【００４８】
また、図１６に示す放電電極６１−２は、放電電極本体６２−２の表面に立設する略板状の凸部６３ａ−２の先端部に、略針形状の端子６３ｂ−２を複数垂設する構成としてもよい。さらに、放電電極６１−２は、放電電極本体６２−２と複数の略針形状の端子６３ｂ−２，・・，６３ｂ−２とを１枚の板からプレス加工して、一体形成したものであってもよい。
【００４９】
上述した放電電極では、放電端子を放電電極本体に多く設ける構成とすることにより放電時に多くの放電生成物を発生することが可能となる。
【００５０】
なお、上述した空気調和機では、図３に示すように１つの放電装置５をフィルタ３の上縁のケーシング本体２に配設するようにしたが、以下の空気調和機のように、２つの放電装置をフィルタを挟んでケーシング本体前部の両側部にそれぞれ配設して構成してもよい。
【００５１】
図１７は、空気調和機のカバーを取り外したケーシング本体を模式的に示す正面図であり、図１８は、図１７に搭載する第１の放電装置の断面図と第２の放電装置を示す断面図である。図１９は、フィルタの両側に位置する第１および第２の放電装置との配置関係を模式的に示す断面図である。図中の各符号は、上述した実施形態における各構成部の符号に１００番を付与したものであり、同一の構成部については、重複する説明を省略する。
【００５２】
図１７及び図１８に示すように、空気調和機１０１は、空気の流れを発生するファン１０４と、空気が通過するフィルタ１０３と、第１の放電装置１０５−１と、第２の放電装置１０５−２と、制御部１０６と、を備えている。
【００５３】
ケーシング本体１０２の前部１０２ａには、そのフィルタ３の両縁部分に後述する第１の放電装置１０５−１および第２の放電装置１０５−２を収納する収納部１２０−１，１２０−２がそれぞれ形成される。
【００５４】
各収納部１２０−１，１２０−２の各背板１２１−１，１２１−２には、後述するファン１０４で発生した空気の気流を分流して導くための背板開口部１２２−１，１２２−２がそれぞれ形成され、さらに、各放電装置１０５−１，１０５−２の放電電極１６１−１，１６１−２および対向電極１７１−１，１７１−２に印加する電圧を供給するために用いる接続部１２５−１，１２５−２，１２６−１，１２６−２が設けられる。各背板開口部１２２−１，１２２−２には、後述する各放電装置１０５−１，１０５−２の各筐体１５１−１，１５１−２の各吸込口１５２−１，１５２−２に連通している。
【００５５】
各収納部１２０−１，１２０−２において、前方から後方の各背板１２１−１，１２１−２までの奥行は、各放電装置１０５−１，１０５−２の奥行より狭く形成しており、各収納部１２０−１，１２０−２に各放電装置１０５−１，１０５−２を収納した場合に、各放電装置１０５−１，１０５−２の前部の一部が各収納部１２０−１．１２０−２前面の開口部より突出する。
【００５６】
ケーシング本体前部１０２ａには、ファン吸込口１２４が開口されており、ファン吸込口１２４の縁部にはフィルタ１０３を設けている。ファン１０４を回転駆動することにより気流が発生すると、空気がフィルタ１０３を通過してファン吸込口１２４からケーシング本体１０２のファン収納部１４０に吸込まれる。フィルタ１０３は、各種の空気清浄機能を有する機能性フィルタを順次重ね合わせて構成している。
【００５７】
図１９に示すフィルタ１０３は、空気中の埃等を捕集する防塵フィルタに相当するメッシュ状のプレフィルタ１３０と、集塵フィルタ１３１と、脱臭フィルタ１３２等で構成している。
【００５８】
図１７に示すケーシング本体１０２は、第１の放電装置１０５−１および第２の放電装置１０５−２に高電圧を供給する高電圧電源１１７を備えている。高電圧電源１１７は、各高電圧用配線１１８−１，１１８−２を介して各収納部１２０−１，１２０−２内に設けた高圧接続部１２５−１，１２５−２とそれぞれ接続し、各接地用配線１１９−１，１１９−２を介して各収納部１２０−１，１２０−２内に設けた接地用接続部１２６−１，１２６−２とそれぞれ接続している。高電圧電源１１７から高圧接続部１２５−１，１２５−２までの高電圧用配線１１８−１，１１８−２の長さは、高電圧電源１１７から接地用接続部１２６−１，１２６−２までの接地用配線１１９−１，１１９−２の長さよりも短い。各高圧接続部１２５−１，１２５−２は、各接地用接続部１２６−１，１２６−２よりも高電圧電源１１７に近接するように各収納部１２０−１，１２０−２内の上方位置に設けている。
【００５９】
ケーシング本体１０２内には、ファン１０４のファン収納部１４０からファン吹出口１１３までの間に空気を送気するエア流路１４１が形成されている。ファン収納部１４０と左右の収納部１２０−１，１２０−２との間には、ファン１０４で発生した空気の気流を送気する分岐エア流路１４２−１，１４２−２がそれぞれ接続される。各分岐エア流路１４２−１，１４２−２の先端は、各収納部１２０−１．１２０−２内の各背板１２１−１．１２１−２に開口した各背板開口部１２２−１，１２２−２に接続される。
【００６０】
各分岐エア流路１４２−１，１４２−２では、後述するファン１０４で発生した空気（気流）を分流して、分流した空気が、各収納部１２０−１，１２０−２の各背板開口部１２２−１，１２２−２を介して、各放電装置１０５−１，１０５−２の各筐体１５１−１，１５１−２の各吸込口１５２−１，１５２−２からそれぞれ流入し、各筐体１５１−１，１５１−２内を通過して、各筐体１５１−１，１５１−２の各吹出口１５３−１，１５３−２からそれぞれ吹出される。
【００６１】
ケーシング本体１０２上部の操作部（図示しない）を操作して各種運転モードを選択することによりファン１０４が駆動されると、前面パネル吸込口（図示しない）から吸込まれた外部の空気がフィルタ１０３、ファン１０４やケーシング本体１０２のファン吸込口１２４、ファン収納部１４０からファン吹出口１１３に形成されるエア流路１４１を経て、ケーシング本体１０２の上部後方の吹出口１１３から外部に吹出される。
【００６２】
また、フィルタ１０３を通過した空気の一部は、ファン収納部１４０から各分岐エア流路１４２−１，１４２−２をそれぞれ通気して、各放電装置１０５−１，１０５−２内に送気される。
【００６３】
次に、空気調和機１０１のフィルタ１０３を挟んで両側に搭載する第１の放電装置１０５−１および第２の放電装置１０５−２について説明する。
【００６４】
図１８および図１９に示す第１の放電装置１０５−１は、放電を生じさせる第１の放電電極１６１−１と、第１の放電電極１６１−２に対向して設けられた第１の対向電極１７１−１と、第１の放電電極１６１−１及び第１の対向電極１７１−１を格納するとともに、第１の吸込口１５２−１と第１の吹出口１５３−１を有する第１の筐体１５１−１とを有する。
【００６５】
筐体１５１−１には、分岐エア流路１４２−１から送気される空気を導くための吸込口１５２−１と、筐体１５１−１内を通気した空気を放出する吹出口１５３−１が形成される。吸込口１５２−１は、筐体１５１−１の背側壁部１５１ａ−１に開口されており、吹出口１５３−１は、右側壁部１５１ｂ−１に開口されている。
【００６６】
第１の放電電極１６１−１は、略板形状の放電電極本体１６２−１の下部を筐体１５１−１内の支持部１５４−１に配設している。放電電極本体１６２−１には、所定間隔ごとに放電端子１６３−１が複数設けられる。各放電端子１６３−１は、Ｔ字形状に形成しており、放電電極本体１６２−１の表面に立設する略板状の凸部１６３ａ−１と、凸部１６３ａ−１先端の両側部に配設する略針形状の端子１６３ｂ−１，１６３ｂ−１で構成している。
【００６７】
第１の対向電極１７１−１は、略Ｌ形状の対向電極本体１７２−１の長手方向の両端部を筐体１５１−１内に設けた左右支持体１５５−１，１５６−１に接続される。第１の対向電極１７１−１の対向電極本体１７２−１には、第１の放電電極１６１−１と対向する位置に開口部１７３−１が設けられる。開口部１７３−１は、略細長形状に形成されている。なお、対向電極には、開口部を形成したが、空気が通過できる構造であれば、対向電極本体の一部を切り欠いた切欠部を備える構造であってもよい。
【００６８】
対向電極本体１７２−１と複数の略Ｔ字状の放電端子１６３−１を設けた放電電極本体１６２―１とは、互いに対向するように、所定間隔を設けて支持部１５４−１に配置される。
【００６９】
図１９に示す第１の放電電極１６１−１及び第１の対向電極１７１−１は、外部から流入する空気の流れの方向が、第１の放電電極１６１−１から開口部１７３−１に沿った方向に沿うように配置されている。かかる構成によれば、放電により略放電方向に発生した放電生成物を含む空気のイオン風の流れを筐体１５１−１の吸込口１５２−１から流入する外部の空気の流れと一致させることができ、効果的に放電生成物を含む空気を送気することができる。
【００７０】
また、第１の対向電極１７１−１の開口部１７３−１は、筐体１５１−１の右側壁部１５１ｂ−１に開口した吹出口１５３−１に向かう方向に開口している。かかる構成によれば、放電により発生した放電生成物をともなう気流の大部分が開口部１７３−１を通気して直線上に位置する吹出口１５３−１から気流を乱されることなく吹き出され、効果的に放電生成物を含む空気を送気することができる。なお、図１８中の符号１６４−１は、第１の放電電極１６１−１の端部に設けた端子部であり、符号１７４−１は、第１の対向電極１７１−１の端部に設けた端子部である。
【００７１】
第１の放電装置１０５−１がケーシング本体１０２の収納部１２０−１に収納された形態において、第１の放電装置１０５−１の筐体１５１−１の一部が収納部１２０−１の開口から突出し、第１の放電装置１０５−１の右側壁部１５１ｂ−１の吹出口１５３−１が右方を向いて、フィルタ１０３側に向かって開口している。
【００７２】
第１の放電装置１０５−１と同様に、図１８および図１９に示す第２の放電装置１０５−２は、放電を生じさせる第２の放電電極１６１−２と、第２の放電電極１６１−２に対向して設けられた第２の対向電極１７１−２と、第２の放電電極１６１−２及び第２の対向電極１７１−２を格納するとともに、第２の吸込口１５２−２と第２の吹出口１５３−２を有する第２の筐体１５１−２とを有する。
【００７３】
筐体１５１−２には、分岐エア流路１４２−２から送気される空気を導くための吸込口１５２−２と、筐体１５１−２内を通気した空気を放出する吹出口１５３−２が形成される。吸込口１５２−２は、筐体１５１−２の背側壁部１５１ａ−２に開口されており、吹出口１５３−２は、左側壁部１５１ｂ−２に開口されている。
【００７４】
第２の放電電極１６１−２は、略板形状の放電電極本体１６２−２の下部を筐体１５１−２内の支持部１５４−２に配設している。放電電極本体１６２−２には、所定間隔ごとに放電端子１６３−２が複数設けられる。各放電端子１６３−２は、Ｔ字形状に形成しており、放電電極本体１６２−２の表面に立設する略板状の凸部１６３ａ−２と、凸部１６３ａ−２先端の両側部に配設する略針形状の端子１６３ｂ−２，１６３ｂ−２で構成している。
【００７５】
第２の対向電極１７１−２は、略Ｌ形状の対向電極本体１７２−２の長手方向の両端部を筐体１５１−２内に設けた左右支持体１５５−２，１５６−２に配設している。第２の対向電極１７１−２の対向電極本体１７２−２には、第２の放電電極１６１−２と対向する位置に開口部１７３−２が設けられる。開口部１７３−２は、略細長形状に形成されている。なお、対向電極には、開口部を形成したが、空気が通過できる構造であれば、対向電極本体の一部を切り欠いた切欠部を備える構造であってもよい。
【００７６】
対向電極本体１７２−２と複数の略Ｔ字状の放電端子１６３−２を設けた放電電極本体１６２―２とは、互いに対向するように、所定間隔を設けて支持部１５４−２に配置される。
【００７７】
第２の放電電極１６１−２及び第２の対向電極１７１−２は、外部から流入する空気の流れの方向が、第２の放電電極１６１−２から開口部１７３−２に沿った方向に沿うように配置されている。第２の対向電極１７１−２の開口部１７３−２は、筐体１５１−２の左側壁部１５１ｂ−２に開口した吹出口１５３−２に向かう方向に開口している。なお、図中の符号１６４−２は、第２の放電電極１６１−２の端部に設けた端子部であり、符号１７４−２は、第２の対向電極１７１−２の端部に設けた端子部である。
【００７８】
第２の放電装置１０５−２がケーシング本体１０２の収納部１２０−２に収納された形態において、第２の放電装置１０５−２の筐体１５１−２の一部が収納部１２０−２の開口から突出し、第２の放電装置１０５−２の左側壁部１５１ｂ−２の吹出口１５３−２が左方を向いて、フィルタ１０３側に向かって開口している。
【００７９】
上記空気調和機１０１では、ファン１０４から送気される空気が２本の分岐エア流路１４２−１，１４２−２を経由して各吸込口１５２−１，１５２−２から各放電装置１０５−１，１０５−２の各筐体１５１−１，１５１−２内に流入し、流入した空気が各放電電極１６１−１，１６１−２で生じた放電生成物を含む空気のイオン風の流れと一致して、各対向電極１７１−１，１７１−２の各開口部１７３−１，１７３−２を通過して各吹出口１５３−１，１５３−２から装置外にそれぞれ吹出される。さらに、それぞれ吹出された放電生成物を含む空気は、気流にのって両吹出口１５３−１，１５３−２の開口する方向に位置するフィルタ１０３の上手側に送られ、フィルタ１０３の積層間を通過し、ケーシング本体１０２のファン吸込口１２４からファン１０４やファン収納部１４０、エア流路１４１を経由して上部のファン吹出口１１３から外部へスムーズに吹出され、室内空間に放電生成物を含み空気を効率よく供給することができて、十分な脱臭や有害物質抑制効果を期待することができる。また、ファン収納部１４０に流入する放電生成物を含む空気の一部は、ファン収納部１４０の両壁に接続した２本の分岐エア流路１４２−１，１４２−２を経て各放電装置１０５−１，１０５−２内にそれぞれ送気されるので、フィルタを通った空気を送気するため両放電電極の汚れを低減して、長期にわたり空気調和機の良好な性能を維持することができる。
【００８０】
また、第１の放電装置１０５−１及び第２の放電装置１０５−２の間にフィルタ１０３をケーシング本体前部１０２ａに設けることにより、第１および第２の放電装置１０５−１，１０５−２で発生する大量の放電生成物を含む空気をフィルタ１０３の上手側へ気流をともなって放出することができ、フィルタ１０３も清潔に維持することができメンテナンスの回数を削減することができる。なお、第１の放電装置１０５−１及び第２の放電装置１０５−２は、外部に設ける制御部により放電を制御されている。
【００８１】
上述した放電装置は、放電電極と対向電極との電位差によりストリーマ放電を行うものであったが、その他に以下のようなコロナ放電を行うような構成であってもよい。
【００８２】
［実施形態２］
本開示の実施形態２は、図２０〜図２７用いて説明する。図２０は、本実施形態に係る放電装置を搭載した空気調和機を示す側断面である。図２１は、本実施形態に係る放電装置を搭載した空気調和機を示す断面図である。以下で説明する空気調和機は、放電装置と、ケーシング本体内でのファンとフィルタとの位置および放電装置の設置位置が異なる。説明の便宜上、図中の各符号は、上述した実施形態における各構成部の符号に２００番を付与したものであり、同一の構成部については、重複する説明を省略する。
【００８３】
図２０および図２１に示すように、空気調和機２０１は、空気の流れを発生するファン２０４と、空気が通過するフィルタ２０３と、放電装置２０５と、制御部２０６と、を備えている。
【００８４】
ケーシング本体２０２後部には、ファン吸込口２２４が開口されており、ファン吸込口２２４の縁部にはフィルタ２０３を設けている。ファン２０４を回転駆動することにより気流が発生すると、空気がフィルタ２０３を通過してファン吸込口２２４からケーシング本体２０２のファン収納部２４０に吸込まれる。フィルタ２０３は、各種の空気清浄機能を有する機能性フィルタを順次重ね合わせて構成している。
【００８５】
図２０に示すフィルタ２０３は、空気中の埃等を捕集する防塵フィルタに相当するメッシュ状のプレフィルタ２３０と、集塵フィルタ２３１と、脱臭フィルタ２３２等で構成している。
【００８６】
ケーシング本体２０２内には、ファン２０４のファン収納部２４０からファン吹出口２１３までの間にファン１０４で発生した空気を送気するエア流路２４１が形成されている。
【００８７】
エア流路２４１の中途の壁面には、放電装置２０５を配設している。
【００８８】
ケーシング本体２０２上部の操作部（図示しない）を操作して各種運転モードを選択することによりファン２０４が駆動されると、吸込まれた空気が背面に設けるフィルタ２０３を通気し、ケーシング本体２０２のファン吸込口２２４、ファン収納部２４０からファン吹出口２１３に形成されるエア流路２４１を経て、ケーシング本体２０２の上部後方の吹出口２１３から外部に吹出される。
【００８９】
また、フィルタ２０３を通過し, ファン収納部２４０からエア流路２４１を通気する空気の一部は、放電装置２０５の筐体２５１内に流入し、筐体２５１内を通過して、筐体２５１の外へ吹出される。
【００９０】
また、放電装置２０５を設置するエア流路２４１の壁面には、放電装置２０５に印加する電圧を供給するための接続部（図示しない）が設けられる。
【００９１】
図２２に示す放電装置２０５は、例えば略細長箱形状の筐体２５１と、筐体２５１内に格納する放電を生じさせる正極と負極の放電電極２６１と、各放電電極２６１に対向して設けられた各対向電極２７１と、を有している。なお、放電装置２０５は、外部に設ける制御部により放電を制御されている。
【００９２】
筐体２５１には、エア流路２４１に送気される空気の一部を内部に導くための吸込口２５２と、筐体２５１内を通気した内部の空気を外に放出する吹出口２５３が形成される。吸込口２５２は、筐体２５１の下側壁部２５１ａに開口されており、吹出口２５３は、上側壁部２５１ｂに開口されている。
【００９３】
図２３および図２４に示すように、各放電電極２６１は、例えば複数の糸状の導電体を束ねた略ブラシ形状に形成して、下部を筐体２５１内の支持部２５４に配設している。支持部２５４には、所定間隔をあけて正極と負極の放電電極２６１，２６１が設けられる。なお、放電電極は、例えば、略針形状の構成であってもよい。
【００９４】
ブラシ状の放電電極を備える放電装置は、イオンを発生する領域の面積が増大しているので、針状の放電電極と比較して、同じ電圧を印加したときのイオン発生量を増大することができる。
【００９５】
各対向電極２７１は、下部を筐体２５１内に設けた支持部２５４にそれぞれ配設している。各対向電極２７１には、各放電電極１６１と対向する位置に開口部２７３がそれぞれ設けられる。開口部２７３は、例えば略四角形状に形成されている。なお、対向電極には、開口部を形成したが、空気が通過できる構造であれば、対向電極本体の一部を切り欠いた切欠部を備える構造であってもよい。
【００９６】
対向電極２７２と放電電極２６１とは、互いに対向するように、所定間隔を設けて支持部２５４に支持されて、筐体２５１内に収納される。
【００９７】
図２４および図２５に示すように、筐体内の放電電極２６１及び対向電極２７１では、外部から流入する空気の流れの方向が、放電電極２６１から開口部２７３に沿った方向に沿うように配置されている。かかる構成によれば、放電により略放電方向に発生した放電生成物を含む空気のイオン風の流れを筐体の吸込口から流入する空気の流れと一致させることにより、効果的に放電生成物を含む空気を送気することができる。
【００９８】
対向電極２７１の開口部２７３は、筐体２５１の上側壁部２５１ｂに開口した吹出口２５３に向かう方向に開口している。かかる構成によれば、放電により発生した放電生成物をともなう気流の大部分が対向電極２７１の開口部２７３を通気して直線上に位置する吹出口２５３から気流を乱されることなく吹き出され、効果的に放電生成物を含む空気を送気することができる。なお、図２２（ｄ）の符号２６４は、放電電極２６１の端部に設けた端子部であり、符号２７４は、対向電極２７１の端部に設けた端子部である。
【００９９】
放電装置２０５がケーシング本体２０５のエア流路２４１の壁面に配設された形態において、放電装置２０５の筐体２５１の吸込口２５２がファン収納部２４０側を向いて開口し、吹出口２５３が上方を向いて、エア吹出口２１３側に向かって開口している。
【０１００】
放電装置２０５では、各放電電極に正負何れかの高圧パルスが印加されると、同放電電極の先端部では、コロナ放電が発生し、正負何れかのイオンを発生する。このようなコロナ放電を行う放電装置は、実施形態１の空気調和機と同様に、制御部によって制御される。
【０１０１】
放電装置２０５は、放電により空気中において例えば、電子、イオン、ラジカル、オゾン等の放電生成物を生成し、空気中において例えば、電子、イオン、ラジカル、オゾン等の放電生成物を生成する。
【０１０２】
放電生成物の一例として、例えば正イオンは、水素イオン（Ｈ＋）の周囲に複数の水分子がクラスター化したクラスターイオンであり、Ｈ＋（Ｈ２Ｏ）ｍ（ｍは０以上の任意の整数）と表わされる。負イオンは、酸素イオン（Ｏ２−）の周囲に複数の水分子がクラスター化したクラスターイオンであり、Ｏ２−（Ｈ２Ｏ）ｎ（ｎは０以上の任意の整数）と表わされる。また、正イオンおよび負イオンを室内に放出すると、両イオンが空気中を浮遊するカビ菌やウィルスの周りを取り囲み、その表面上で互いに化学反応を起こす。その際に生成される水酸化ラジカル（・ＯＨ）の作用により、浮遊カビ菌などが除去される。
【０１０３】
空気調和機では、ファン２０４から送気される空気がエア流路２４１を経由して吸込口２５２から放電装置２０５の筐体２５１内に流入し、流入した空気が放電電極２６１で生じた放電生成物のイオン風の流れと一致させることにより効果的に放電生成物を放出させることができる。吹出された放電生成物を含む空気は、上部のファン吹出口２１３から外部へスムーズに吹出され、室内空間に放電生成物を含み空気を効率よく供給することができて、十分な脱臭や有害物質抑制効果を期待することができる。
【０１０４】
図２６および図２７に示す対向電極２７１は、格子を設けることで略格子状に複数の開口部２７３を形成している。例えば、略ブラシ状の放電電極２６１と対向電極２７１の格子との間に電圧を加えると、放電電極の複数の糸状の導電体から対向電極の格子に向かって複数の放電が生じ、放電生成物を含む空気を対向電極の複数の開口の何れかを通過して、筐体の吹出口から装置外へ吹出すことができる。
【０１０５】
上述した図２５に示す放電装置と同様に、図２７に示す放電装置において、図示しない筐体内の放電電極２６１及び対向電極２７１では、外部から流入する空気の流れの方向が、放電電極２６１から開口部２７３に沿った方向に沿うように配置されている。かかる構成によれば、放電により略放電方向に発生した放電生成物を含む空気のイオン風の流れと筐体の吸込口から流入する外部の空気の流れと一致させることにより効果的に放電生成物を含む空気を送気することができる。
【０１０６】
対向電極２７１の開口部２７３は、筐体の上側壁部に開口した吹出口に向かう方向に開口している。かかる構成によれば、放電により発生した放電生成物をともなう気流の大部分が対向電極２７１の開口部２７３を通気して直線上に位置する吹出口から気流を乱されることなく吹き出され、効果的に放電生成物を含む空気を照射することができる。
【０１０７】
なお、放電装置２０５は放電電極と対向電極とを吸込口、吹出口を有する筐体内に設ける構成としたが、放電電極と対向電極とを対向するように配置することができれば、必ずしも覆いとしての筐体は必要ではなく、図２３乃至図２７に示す放電装置の構成であってもよい。
【０１０８】
上記実施形態では一例として空気調和機に適用した場合に説明したが、放電装置としては、少なくても放電を行う放電電極と、放電電極に対向する開口部又は切欠部を設けた対向電極とを備えていればよい。特許請求の範囲における放電装置には、上記構成を備えた、例えば、除電機、イオン発生機、除湿機、加湿機、空気清浄機、エアーコンディショナー、脱臭機、冷蔵庫、掃除機、調理家電などの電子機器等に適用してもよい。
【０１０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１１０】
１  空気調和機
２  ケーシング本体
３  フィルタ
４  ファン
５  放電装置
６  制御部
１０  前面パネル
１１  前面パネル吸込口
１２  フラップ
１３  ファン吹出口
１４  操作部
１５  表示部
１６  制御基板
２０  収納部
２１  背板
２２  背板開口部
２４  ファン吸込口
３０  プレフィルタ
３１  集塵フィルタ
３２  脱臭フィルタ
４０  ファン収納部
４１  エア流路
４２  分岐エア流路
５１  筐体
５２  吸込口
５３  吹出口
５４  支持部
５５、５６  支持体
６１  放電電極
６２  放電電極本体
６３ａ  凸部
６３ｂ  端子
６３  放電端子
６４  端子部
７１  対向電極
７２  対向電極本体
７３  開口部
７４  端子部
【図１】
2020170597.tif 000003
【図２】
2020170597.tif 000004
【図３】
2020170597.tif 000005
【図４】
2020170597.tif 000006
【図５】
2020170597.tif 000007
【図６】
2020170597.tif 000008
【図７】
2020170597.tif 000009
【図８】
2020170597.tif 000010
【図９】
2020170597.tif 000011
【図１０】
2020170597.tif 000012
【図１１】
2020170597.tif 000013
【図１２】
2020170597.tif 000014
【図１３】
2020170597.tif 000015
【図１４】
2020170597.tif 000016
【図１５】
2020170597.tif 000017
【図１６】
2020170597.tif 000018
【図１７】
2020170597.tif 000019
【図１８】
2020170597.tif 000020
【図１９】
2020170597.tif 000021
【図２０】
2020170597.tif 000022
【図２１】
2020170597.tif 000023
【図２２】
2020170597.tif 000024
【図２３】
2020170597.tif 000025
【図２４】
2020170597.tif 000026
【図２５】
2020170597.tif 000027
【図２６】
2020170597.tif 000028
【図２７】
2020170597.tif 000029